(57)【要約】    【課題】集合玄関に居る来訪者を確実に特定でき、而も、その来訪者が不審な物を持っているか否かを容易に識別できるようにする。    【解決手段】呼出部４４、マイク４１、スピーカ４２、集合玄関カメラ４３を有する集合玄関機４と、監視カメラ５と、ハンドセット１２、モニタ１５、カメラ切替ボタン１７を有する居室親機１と、集合玄関機４と、監視カメラ５、居室親機１が接続されそれぞれ制御するための制御機３とを備え、制御機は、集合玄関機の呼出部で呼び出されたとき予め居室親機のパターン記憶部１９で記憶された各カメラによる撮像パターンに基づいて各カメラを制御するための制御機ＣＰＵ３１を有し、居室親機は、制御機ＣＰＵで制御された各カメラで撮像した映像を処理するための映像処理回路２０と、映像処理回路で処理した映像を記憶し保存するための画像メモリ２１とを有する。    【選択図】図１
2005101963.tif 000002
【特許請求の範囲】
【請求項１】
集合玄関に設置され来訪者が居住者を呼び出すための呼出部（４４）、居住者と通話を行なうための集合玄関通話部（４１、４２）、前記来訪者を撮像するための集合玄関カメラ（４３）を有する集合玄関機（４）と、前記集合玄関に設置され来訪者を前記集合玄関カメラと異なる位置から撮像するための監視カメラ（５）と、前記集合玄関機からの呼び出しを報知すると共に前記来訪者と通話するための居室通話部（１１、１２）、前記集合玄関カメラ又は前記監視カメラで撮像した映像を表示するモニタ（１５）、前記集合玄関から呼び出しを受けた状態において前記モニタに表示する映像を前記集合玄関カメラを前記監視カメラに又はその逆に切替えるためのカメラ切替ボタン（１７）を有する居室親機（１）と、前記集合玄関機、前記監視カメラ、前記居室親機が接続されそれぞれ制御するための制御機（３）とを備え、
前記制御機は、前記集合玄関機の前記呼出部で呼び出されたとき予めパターン記憶部（１９）で記憶された前記集合玄関カメラ、前記監視カメラの切替、撮像間隔、撮像枚数などの撮像パターンに基づいて前記集合玄関カメラ、前記監視カメラを制御するための制御機ＣＰＵ（３１）を有し、
前記居室親機は、前記制御機ＣＰＵで制御された前記集合玄関カメラ又は前記監視カメラで撮像した映像を処理するための映像処理回路（２０）と、前記映像処理回路で処理した映像を記憶し保存するための画像メモリ（２１）とを有することを特徴とする集合住宅インターホンシステム。
【請求項２】
前記居室親機は、留守設定するための留守設定部（１６）を有し、前記制御機は、前記居室親機の前記留守設定部において留守設定がなされている場合に前記集合玄関機の前記呼出部で呼び出されたとき予め前記パターン記憶部で記憶された前記撮像パターンに基づいて前記集合玄関カメラ、前記監視カメラを制御するための制御機ＣＰＵ（３１）を有することを特徴とする請求項１記載の集合住宅インターホンシステム。
【請求項３】
前記パターン記憶部は、前記居室親機に備えられ、前記居室親機は、前記集合玄関機の前記呼出部で呼び出されたとき前記パターン記憶部から前記撮像パターンを読み出し、前記撮像パターンに基づいて前記制御機に対し前記集合玄関カメラ、前記監視カメラを制御するための制御信号を送信する居室親機ＣＰＵ（２２）を備えることを特徴とする請求項１又は請求項２記載の集合住宅インターホンシステム。
【請求項４】
前記パターン記憶部は、前記制御機に備えることを特徴とする請求項１又は請求項２記載の集合住宅インターホンシステム。
【請求項５】
前記撮像パターンは先に前記集合玄関カメラを動作させ、後に前記監視カメラを動作させるものであることを特徴とする請求項１乃至請求項４のうち何れか１項に記載の集合住宅インターホンシステム。
【請求項６】
前記撮像パターンは先に前記監視カメラを動作させ、後に前記集合玄関カメラを動作させるものであることを特徴とする請求項１乃至請求項４のうち何れか１項に記載の集合住宅インターホンシステム。
【請求項７】
前記映像処理回路は、前記集合玄関カメラ、前記監視カメラで撮像された映像を所定時間毎に処理すると共に分割表示データを生成し前記画像メモリに前記分割データを送信するものであることを特徴とする請求項１乃至請求項６のうち何れか１項に記載の集合住宅インターホンシステム。
【請求項８】
前記居室親機及び前記制御機の一方は、前記撮像パターンを設定又は変更するためのパターン設定部（１８）を備えることを特徴とする請求項１乃至請求項７のうち何れか１項に記載の集合住宅インターホンシステム。
【発明の詳細な説明】
【技術分野】
【０００１】
この発明は集合住宅インターホンシステムに係り、特に来訪者の映像を的確に録画するための集合住宅インターホンシステムに関する。
【背景技術】
【０００２】
従来から、来訪者の映像を録画すると共に音声も録音して再生することができる集合住宅インターホンシステムが開示されている（例えば、特許文献１参照。）。
【０００３】
この集合住宅インターホンシステムは、来訪者の音声を受信して音声信号を送出するマイク、来訪者の映像を撮像して映像信号を送出するカメラを備えた集合玄関機と、音声を録音する録音ユニット、映像を録画する録画ユニットを有する居室親機とから構成されている。このような集合住宅インターホンシステムによれば、留守時に来訪者の映像だけを録画するのではなく、音声も映像に対応して録音することにより、住居人は来訪者の映像と共に音声を再生することができるので、来訪者の用件も知ることができる。
【０００４】
【特許文献１】特開平９−２６１６２４号公報
【発明の開示】
【発明が解決しようとする課題】
【０００５】
背景技術に記載した特許文献１に開示された集合住宅インターホンシステムは、来訪者を録画する場合、集合玄関機に設けられたカメラの撮像範囲内となる映像のみを録画していたので、来訪者がカメラの撮像範囲から外れてしまった場合には録画しても来訪者が特定できず誰が訪れたのかがわからなかった。また、通常は顔を写す位置に集合玄関機のカメラを調整するので、全身を写すことができず、例えば手に不審なものをもっていたとしてもわからない場合があった。
【課題を解決するための手段】
【０００６】
本発明の第１の態様である集合住宅インターホンシステムは、集合玄関に設置され来訪者が居住者を呼び出すための呼出部、居住者と通話を行なうための集合玄関通話部、来訪者を撮像するための集合玄関カメラを有する集合玄関機と、集合玄関に設置され来訪者を集合玄関カメラと異なる位置から撮像するための監視カメラと、集合玄関機からの呼び出しを報知すると共に来訪者と通話するための居室通話部、集合玄関カメラ又は監視カメラで撮像した映像を表示するモニタ、集合玄関から呼び出しを受けた状態においてモニタに表示する映像を集合玄関カメラを監視カメラに又はその逆に切替えるためのカメラ切替ボタンを有する居室親機と、集合玄関機、監視カメラ、居室親機が接続されそれぞれ制御するための制御機とを備え、制御機は、集合玄関機の呼出部で呼び出されたとき予めパターン記憶部で記憶された集合玄関カメラ、監視カメラの切替、撮像間隔、撮像枚数などの撮像パターンに基づいて集合玄関カメラ、監視カメラを制御するための制御機ＣＰＵを有し、居室親機は、制御機ＣＰＵで制御された集合玄関カメラ又は監視カメラで撮像した映像を処理するための映像処理回路と、映像処理回路で処理した映像を記憶し保存するための画像メモリとを有するものである。
【０００７】
本発明の第２の態様は第１の態様である集合住宅インターホンシステムにおいて、居室親機は、留守設定するための留守設定部を有し、制御機は、居室親機の留守設定部において留守設定がなされている場合に集合玄関機の呼出部で呼び出されたとき予めパターン記憶部で記憶された撮像パターンに基づいて集合玄関カメラ、監視カメラを制御するための制御機ＣＰＵを有するものである。
【０００８】
本発明の第３の態様は第１の態様又は第２の態様である集合住宅インターホンシステムにおいて、パターン記憶部は、居室親機に備えられ、居室親機は、集合玄関機の呼出部で呼び出されたときパターン記憶部から撮像パターンを読み出し、撮像パターンに基づいて制御機に対し集合玄関カメラ、監視カメラを制御するための制御信号を送信する居室親機ＣＰＵを備えるものである。
【０００９】
本発明の第４の態様は第１の態様又は第２の態様である集合住宅インターホンシステムにおいて、パターン記憶部は、制御機に備えるものである。
【００１０】
本発明の第５の態様は第１の態様乃至第４の各態様である集合住宅インターホンシステムにおいて、撮像パターンは先に集合玄関カメラを動作させ、後に監視カメラを動作させるものである。
【００１１】
本発明の第６の態様は第１の態様乃至第４の各態様である集合住宅インターホンシステムにおいて、撮像パターンは先に監視カメラを動作させ、後に集合玄関カメラを動作させるものである。
【００１２】
本発明の第７の態様は第１の態様乃至第６の各態様である集合住宅インターホンシステムにおいて、映像処理回路は、集合玄関カメラ、監視カメラで撮像された映像を所定時間毎に処理すると共に分割表示データを生成し画像メモリに分割データを送信するものである。
【００１３】
本発明の第８の態様は第１の態様乃至第７の各態様である集合住宅インターホンシステムにおいて、居室親機及び制御機の一方は、撮像パターンを設定又は変更するためのパターン設定部を備えるものである。
【発明の効果】
【００１４】
本発明の集合住宅インターホンシステムによれば、来訪者を２台以上のカメラで撮像した映像を録画できるので来訪者を確実に特定でき、また、来訪者の全身を撮像できるので、不審な物を持っているか否かを容易に識別可能となり、防犯上、優れた効果を奏する。
【発明を実施するための最良の形態】
【００１５】
以下、本発明の集合住宅インターホンシステムを実施するための最良の形態例について、図面を参照して説明する。
【００１６】
本発明を実施するための最良の一形態である集合住宅インターホンシステムは図１（ａ）、（ｂ）に示すように、集合住宅の集合玄関に設置される集合玄関機４及び監視カメラ５と、集合住宅の各住戸内に設置される複数の居室親機１ａ、１ｂ、・・・と、集合住宅の住戸玄関に設置される複数の玄関子機２ａ、２ｂ、・・・と、管理人室に設置される管理室親機６と、集合玄関機４、監視カメラ５、各居室親機１ａ、１ｂ、・・・及び管理室親機６を制御するための制御機３とを備えている。この制御機３は、第１の伝送路Ｌ１を介して集合玄関機４に、第２の伝送路Ｌ２を介して監視カメラ５に、第３の伝送路Ｌ３を介して複数の居室親機１ａ、１ｂ、・・・に、第４の伝送路Ｌ４を介して管理室親機６にそれぞれ接続され、各居室親機１ａ、１ｂ、・・・には、それぞれ第５の伝送路Ｌ５を介して対応する複数の玄関子機２ａ、２ｂ、・・・が接続されている。この各伝送路Ｌ１〜Ｌ５は、それぞれ通話信号伝送路及び映像信号伝送路から成るペア線で構成されている。
【００１７】
集合玄関機４は、タッチパネルで構成され来訪者が居住者を呼び出すためのテンキーや呼出ボタンから成る呼出部４４と、居住者と通話を行なうための集合玄関通話部である集合玄関マイク４１及び集合玄関スピーカ４２と、来訪者を撮像するための集合玄関カメラ４３とを備えている。また、集合玄関機４と同様に集合玄関に設置された監視カメラ５は、来訪者を集合玄関カメラ４と異なる位置から撮像するためのものである。
【００１８】
各居室親機１ａ、１ｂ、・・・は、それぞれ同様の構成とされ、集合玄関機４からの呼び出しを報知すると共に来訪者と通話するための居室通話部であるマイクＭ及びレシーバＲから成るハンドセット１２と、集合玄関カメラ４３又は監視カメラ５で撮像した映像を表示するモニタ１５とを備えている。また、各居室親機１ａ、１ｂ、・・・は、集合玄関から呼び出しを受けた状態においてモニタ１５に表示する映像を集合玄関カメラ４３を監視カメラ５に又はその逆に切り替えるためのカメラ切替ボタン１７と、集合玄関カメラ４３、監視カメラ５の切り替え、撮像間隔、撮像枚数などの撮像パターンを設定するためのパターン設定部１８と、パターン設定部で設定された撮像パターンが記憶されるパターン記憶部１９と、集合玄関機４の呼出部４４で呼び出されたときパターン記憶部１９から撮像パターンを読み出し、撮像パターンに基づいて制御機３に対し集合玄関カメラ４３、監視カメラ５を制御するための制御信号Ｓ１を送信する居室親機ＣＰＵ２２と、集合玄関カメラ４３又は監視カメラ５で撮像した映像を処理するための映像処理回路２０と、映像処理回路２０で処理した映像を記憶し保存するための画像メモリ２１と、留守設定をするための留守設定部１６とを有している（図１（ｂ））。
【００１９】
このようなパターン設定部１８、パターン記憶部１９及び居室親機ＣＰＵ２２を有することにより、各住戸で撮像パターンの設定、変更を容易に行うことができ、また、各居住者の撮像パターンの要望に応えることができるようになる。
【００２０】
なお、パターン記憶部１９の撮像パターンは、集合玄関カメラ４３、監視カメラ５の動作順序や録画タイミングを任意に設定することが可能であり、例えば、先に集合玄関カメラ４３を動作させ、後に監視カメラ５を動作させるような設定にすれば、来訪者が集合玄関カメラ４３を通り過ぎても監視カメラ５で撮像することが可能になり、先に監視カメラ５を動作させ後に集合玄関カメラ４３を動作させるような設定にすれば、来訪者が集合玄関カメラ４３の方向を向いていなくても監視カメラ５で撮像することが可能になる。
【００２１】
また、映像処理回路２０は、集合玄関カメラ４３、監視カメラ５で撮像された映像を所定時間毎に処理すると共に分割表示データを生成し画像メモリ２１に分割表示データを送信する機能を有している。これにより、居室親機１のモニタ１５で分割画面で表示可能になり、居住者が見易い構成画面にすることができる。
【００２２】
このような居室親機１は、第３の伝送路Ｌ３に接続され各種信号を多重分離するインターフェース回路２３（以下、「Ｉ／Ｆ回路２３」という。）にハンドセット１２が通話回路１１を介して接続されている。また、モニタ１５はモニタ駆動回路１４を介してＩ／Ｆ回路２３に接続され、カメラ切替ボタン１７、パターン設定部１８、パターン記憶部１９、映像処理回路２０及び留守設定部１６はそれぞれ居室親機ＣＰＵ２２に接続されている。この居室親機ＣＰＵ２２には、さらにモニタ駆動回路１４、通話回路１１及びＩ／Ｆ回路２３が接続され、また、映像処理回路２０には画像メモリ２１が接続されている。
【００２３】
各玄関子機２ａ、２ｂ、・・・は、それぞれ同様の構成とされ、呼出ボタン２５、居室玄関カメラ２６、居室玄関マイク２７及び居室玄関スピーカ２８を備えている。管理室親機６は、ハンドセット６１及びモニタ６２を備えている。
【００２４】
制御機３は、集合玄関機４の呼出部４４で呼び出されたとき予め居室親機１のパターン記憶部１９で記憶された撮像パターンに基づいて集合玄関カメラ４３、監視カメラ５を制御するための制御機ＣＰＵ３１を有している。これにより、居室親機１は、制御機ＣＰＵ３１で制御された集合玄関カメラ４３又は監視カメラ５で撮像した映像を映像処理回路２０で処理し、その映像を画像メモリ２１で記憶し保存することができる。このような制御機ＣＰＵ３１の機能は、居室親機１の留守設定部１６において留守設定がなされている場合に動作するように設定すれば、留守設定の場合のみ録画することができるので、使い勝手がよくなり、また、画像メモリ２１も小容量化とすることが可能になる。
【００２５】
このように構成された集合住宅インターホンシステムの動作について説明する。
【００２６】
まず、居室親機１ａにおいて、集合玄関の集合玄関機４の集合玄関カメラ４３及び監視カメラ５の所望の撮像パターンを設定するためにパターン設定部１８を操作して、その撮像パターンをパターン記憶部１９に記憶させる。ここでは、撮像パターンは、集合玄関機４の呼出部４４で呼出操作されてから５秒間は集合玄関カメラ４３を動作させ、その後、監視カメラ５に切り替えて監視カメラ５を５秒間動作させるように設定する。また、画像メモリ２１への画像処理として、集合玄関カメラ４３が動作してから当該集合玄関カメラ４３による１秒後の画像と５秒後の画像、そして監視カメラ５に切り替わり集合玄関カメラ４３が動作してから７秒後、１０秒後の監視カメラ５による画像を画像メモリ２１に録画するように設定する。この際、このようにして撮像された４パターンの映像を映像処理回路２０で４分割表示データに生成し画像メモリ２１にその分割データを録画するように設定する。
【００２７】
このように撮像パターンが設定された居室親機１ａにおいて、例えば居住者が留守設定部１６を操作して留守状態に設定すると、その撮像パターンが有効になる。このような状態において、来訪者が集合玄関機４の呼出部４４で居室親機１ａを呼び出す操作をすると、呼出信号が第１の伝送路Ｌ１→制御機３→第３の伝送路Ｌ３→居室親機１ａのＩ／Ｆ回路２３→居室親機ＣＰＵ２２を介して通話回路１１に送出されるので、ハンドセット１２のレシーバＲから呼出音が報音される。なお、図示されていないが、居室親機１ａに呼出音を報音するための呼出スピーカが備えられている場合には、呼出信号はＩ／Ｆ回路２３を介して呼出音発生回路に送出されることになるので、呼出音発生回路が呼出スピーカから呼出音を報音させることになる。居住者がこの呼出音を確認して居室親機１ａのハンドセット１２を取り上げると、当該居室親機１ａのハンドセット１２と、集合玄関機４の集合玄関マイク４１及び集合玄関スピーカ４２との間で通話路が形成される。
【００２８】
また、集合玄関機４の呼出部４４で居室親機１ａを呼び出す操作がされると、居室親機１ａの居室親機ＣＰＵ２２は、呼び出しがあったことを検出するので、パターン記憶部１９から撮像パターンを読み出し、撮像パターンに基づいて制御機３に対し集合玄関カメラ４３、監視カメラ５を制御するための制御信号Ｓ１を送信する。制御機３の制御機ＣＰＵ３１はその制御信号Ｓ１に基づきその撮像パターンを実行し、集合玄関機４の呼出部４４が操作されてから５秒間は集合玄関カメラ４３を動作させ、その後、監視カメラ５に切り替えて監視カメラ５を５秒間動作させて、集合玄関カメラ４３が動作してから当該集合玄関カメラ４３による１秒後の画像と５秒後の画像、そして監視カメラ５に切り替わり集合玄関カメラ４３が動作してから７秒後、１０秒後の監視カメラ５による画像、即ち、４パターンの映像を映像処理回路２０で４分割表示データに生成し画像メモリ２１にその分割データを画像メモリ２１に録画することができるようになる。
【００２９】
したがって、来訪者を集合玄関カメラ４３及び監視カメラ５の２台で撮像した映像を録画できるので来訪者を確実に特定でき、また、来訪者の全身を撮像できるので、不審な物を持っているか否かを容易に識別可能となる。
【００３０】
なお、上述した本発明を実施するための最良の一形態である集合住宅インターホンシステムでは、パターン設定部を居室親機１に備えていたが、これに限らず、制御機３に備えるようにしてもよい。これにより、制御機で一括してパターンの設定、変更が可能になるので、集合住宅毎におけるパターンの設定、変更が容易になる。
【００３１】
また、上述した本発明を実施するための最良の一形態である集合住宅インターホンシステムでは、パターン記憶部を居室親機１に備えていたが、これに限らず、制御機３に備えるようにしてもよい。これにより、パターン記憶部を居室親機毎に備えずに済むので、コストを削減することが可能である。
【００３２】
また、上述した本発明を実施するための最良の一形態である集合住宅インターホンシステムでは、今回は留守設定時のみパターン記憶部１９に記憶された撮像パターンに基づいて動作させていたが、これに限らず、留守設定以外の通常時においても当該撮像パターンを動作させてもよい。
【００３３】
また、上述した本発明を実施するための最良の一形態である集合住宅インターホンシステムでは、集合玄関機４の呼出部４４や各居室親機１ａ、１ｂ、・・・のカメラ切替ボタン１７はモニタに備えられるタッチパネルを採用しているが、これに限らず、スイッチなどの機械的なものでもよい。
【００３４】
さらに、上述した本発明を実施するための最良の一形態である集合住宅インターホンシステムでは、各居室親機１ａ、１ｂ、・・・はハンドセット１２を備えていたが、これに限らず、筐体に直接、マイク、スピーカが設けられたハンズフリーのものでもよい。
【図面の簡単な説明】
【００３５】
【図１】本発明の集合住宅インターホンシステムによる最良な実施の一形態を示す図で、（ａ）は全体説明図、（ｂ）は居室親機のブロック図。
【符号の説明】
【００３６】
１（１ａ、１ｂ、・・・）……居室親機
１１……通話回路（居室通話部）
１２……ハンドセット（居室通話部）
１５……モニタ
１６……留守設定部
１７……カメラ切替ボタン
１８……パターン設定部
２０……映像処理回路
２１……映像メモリ
２２……居室親機ＣＰＵ
３……制御機
３１……制御機ＣＰＵ
４……集合玄関機
４１……集合玄関マイク（集合玄関通話部）
４２……集合玄関スピーカ（集合玄関通話部）
４３……集合玄関カメラ
４４……呼出部
５……監視カメラ
【図１】
2005101963.tif 000003